(57)【特許請求の範囲】
【請求項１】
インクを収容するインク収容パイプと、
このインク収容パイプよりも先端側に設けられ筆記部を含む筆記側パイプと、
前記インク収容パイプと前記筆記側パイプとがそれぞれ連結される継手と、を備える筆記具用リフィールであって、
前記インク収容パイプの前記継手に連結されている先端側端と、前記筆記側パイプの前記継手に連結されている後側端とは、当該リフィールの軸線方向において重複し、
前記継手の外周には、インク収容パイプの先端側端に圧入される複数のリブと、前記リブの後端側に設けられ前記インク収容パイプ内のインクが漏れないようにシールする拡径部とが形成されている、筆記具用リフィール。
【請求項２】
インクを収容するインク収容パイプと、
このインク収容パイプよりも先端側に設けられ筆記部を含む筆記側パイプと、
前記インク収容パイプと前記筆記側パイプとがそれぞれ連結される継手と、を備える筆記具用リフィールであって、
前記インク収容パイプの前記継手に連結されている先端側端と、前記筆記側パイプの前記継手に連結されている後側端とは、当該リフィールの軸線方向において重複し、
前記継手は、前記筆記側パイプを受け入れる管状の受け入れ部と、前記受け入れ部の内周に設けられた複数のリブと、前記リブの後方に形成され前記筆記側パイプの外周面が圧入され気密性を保つシール部と、を有している、筆記具用リフィール。
【請求項３】
前記インク収容パイプの先端側端と、前記筆記側パイプの後側端とが軸線方向において重複している位置よりもインク収容パイプ側には、前記筆記側パイプ内のインクが前記インク収容パイプ内に逆流するのを防止する逆流防止部が設けられている、請求項１又は２に記載の筆記具用リフィール。
【発明の詳細な説明】
【技術分野】
【０００１】
本発明は、筆記具用リフィールに関する。
【背景技術】
【０００２】
従来から、筆記具のインクの交換用カートリッジとしての筆記具用リフィールが知られている。一般的な筆記具用リフィールは、未使用のインクを収容するインク収容部と、筆記ボールやインクを染みこませた中綿等の筆記部とを備えている。そして筆記具のインクを使い果たした場合、使用者は筆記具から古い筆記具用リフィールを取り出し、新しい筆記具用リフィールを筆記具にセットする。
【０００３】
このような筆記具用リフィールとしては、金属材料を深絞り成形により加工し、インク収容部を構成する管状部分と筆記部を含む筆記側の管状部分とを一体に成形したものが多用されてきた。深絞り成形された筆記具用リフィールは、筆記部とインク収容部とで接合部分が存在しないため、筆記部への曲げ荷重などに強い構造であり、このためインク収容部からのインク漏れが起こりにくいという利点を有していた。
【０００４】
しかしながら、インク収容部と筆記側の管状部分とを深絞り成形により一体成形するためには高度な成形技術が要求されるため、近年では、２つの管状部材を別体として成形し両者を継手により連結した筆記具用リフィールが用いられている（例えば、特許文献１）。
【先行技術文献】
【特許文献】
【０００５】
【特許文献１】特開２０１１−８１３号公報
【発明の概要】
【発明が解決しようとする課題】
【０００６】
しかしながら、上述したように、深絞り成形を用いた一体成形品が用いられていた理由としては深絞り成形を用いた場合の方がインク漏れを起こし難いという利点があったためであり、やはり特許文献１のように２つの管状部材を別体として成形した場合には継手と２つの管状部材との間の接合強度が弱く、インク漏れを起こす場合があった。
【０００７】
そこで本発明は、上述した問題点を解決するためになされたものであり、２つの管状体を継手により連結した筆記具用リフィールにおいて接合強度を向上させることができる筆記具用リフィールを提供することを目的とする。
【課題を解決するための手段】
【０００８】
上述した課題を解決するために、本発明は、インクを収容するインク収容パイプと、このインク収容パイプよりも先端側に設けられ筆記部を含む筆記側パイプと、前記インク収容パイプと前記筆記側パイプとがそれぞれ連結される継手と、を備える筆記具用リフィールであって、前記インク収容パイプの前記継手に連結されている先端側端と、前記筆記側パイプの前記継手に連結されている後側端とは、当該リフィールの径方向において重複している。
【０００９】
このように構成された本発明によれば、インク収容パイプの先端側端と、筆記側パイプの後側端とが重複している重複部に径方向からの締り効果による筆記パイプの保持力強度の向上と、曲げ荷重等が加わった場合の応力をインク収容パイプ側へも分散させることができることにより、継手とインク収容パイプ及び継手と筆記側パイプの接合強度を向上させることができる。
【００１０】
また、本発明において好ましくは、前記継手の外周には、インク収容パイプの先端側端に圧入される複数のリブが形成されている。
【００１１】
このように構成された本発明によれば、複数のリブを継手の外周に形成することにより、継手をインク収容パイプの先端側端内により強固に固定することができる。
【００１２】
また、本発明において好ましくは、前記継手は、前記筆記側パイプを受け入れる管状の受け入れ部を備え、前記受け入れ部の内周には複数のリブが形成されている。
【００１３】
このように構成された本発明によれば、複数のリブを継手の受け入れ部の内周に形成することにより、筆記側パイプの後側端側を継手の受け入れ部内により強固に固定することができる。
【００１４】
また、本発明において好ましくは、前記インク収容パイプの先端側端と、前記筆記側パイプの後側端とが軸線方向において重複している位置よりもインク収容パイプ側には、前記筆記側パイプ内のインクが前記インク収容パイプ内に逆流するのを防止する逆流防止部が設けられている。
【００１５】
このように構成された本発明によれば、逆流防止部によって筆記側パイプ内のインクがインク収容パイプ内に逆流するのを防止することができる。そして逆流防止部を、筆記側パイプとインク収容パイプとが重複している位置よりもインク収容パイプ側に設けることにより、継手をインク収容パイプ内に圧入して継手が径方向内側に変形した場合においても、継手の変形によって逆流防止部の機能が妨げられるのを防止することができる。
【発明の効果】
【００１６】
以上のように本発明によれば、２つの管状体を継手により連結した筆記具用リフィールにおいて接合強度を向上させることができる。
【図面の簡単な説明】
【００１７】
【図１】本発明の実施形態による筆記具用リフィールの側面図である。
【図２】本発明の実施形態による筆記具用リフィールの側断面図である。
【図３】本発明の実施形態による筆記具用リフィールの継手の側面図である。
【図４】本発明の実施形態による筆記具用リフィールの継手の側断面図である。
【発明を実施するための形態】
【００１８】
以下、図面を参照して、本発明の実施形態による筆記具用リフィールについて説明する。図１は、本発明の実施形態による筆記具用リフィールの側面図であり、図２は、筆記具用リフィールの側断面図である。なお、明細書において先端側又は前方とは、筆記具用リフィールの軸線方向において筆記部が設けられている側をいい、後端側又は後方とは、筆記部が設けられていない側をいうものとし、軸線とは長手方向に延びる筆記具用リフィールの軸線をいうものとする。
【００１９】
図１及び図２に示すように筆記具用リフィール１は、インクを収容するインク収容パイプ３と、筆記部５を含む筆記側パイプ７と、インク収容パイプ３と筆記側パイプ７とを連結するための継手９とを備えている。
【００２０】
インク収容パイプ３は、内部が空洞の管状体によって構成されており、内部に所定量のインクが充填されている。そしてインク収容パイプ３の後端側には、尾栓１１が圧入されている。尾栓１１の後端には、筆記具用リフィール１が装着される筆記具と係合するカム形状が形成されている。
【００２１】
筆記側パイプ７は、インク収容パイプ３よりも径が小さい管状体によって構成されており、その先端には、筆記部５が設けられている。本実施形態では、ボールペン用の筆記具用リフィールを例に挙げているため、筆記部５は筆記ボール１３を備えている。なお、本発明は、ボールペン以外にも中綿にインクを染みこませるマーキングペン等についても適用可能である。
【００２２】
筆記側パイプ７内には、継手９を介してインク収容パイプ３からインクが供給される。そして筆記側パイプ７内のインクは筆記ボール１３に付着し、筆記ボール１３を回転させることにより筆記ボール１３に付着させたインクを紙面に転写するようになっている。
【００２３】
図３は、継手の側面図であり、図４は、継手の側断面図である。図３及び図４に示すように、継手９は略管状形状を有しており、その外周の後端側はインク収容パイプ３内に圧入される。また、継手９の先端側には筆記側パイプ７を受け入れるための受け入れ部１５が設けられている。
【００２４】
より具体的には、継手９の外周の後端側は、インク収容パイプ３の内径よりも僅かに大きい外径を有している。そして、継手９の外周の軸線方向略中央には、複数のリブ１７が設けられている。複数のリブ１７は、継手９の周方向に等間隔で配置されている。そして全てのリブ１７の頂面は、軸線方向から見たときに当該軸線を中心とする円を形成するように湾曲している。このとき形成される円の径は、インク収容パイプ３の内径よりも僅かに大きい。このように複数のリブ１７を形成することにより、継手９をインク収容パイプ３に圧入した際にリブ１７の頂面とインク収容パイプ３の内周が接触して両者の間の接合強度が向上する。また、リブ１７を設けることによりリブ１７の周囲を径方向内側に凹ませることができ、リブ１７の周囲において継手９の径方向の厚みを薄くすることができる。これにより、継手９を射出成形した場合に、いわゆる「ひけ」による継手９の変形を抑制することができる。また、継手９とインク収容パイプ３とを複数のリブ１７を用いて固定することにより、継手９とインク収容パイプ３との接合強度を保ちながら継手９をインク収容パイプ３に圧入する際の作業性を向上させることができる。
【００２５】
継手９の外周におけるリブ１７よりも後端側には、拡径部１９が設けられている。この拡径部１９の径も、インク収容パイプ３の内径よりも僅かに大きい。そして継手９をインク収容パイプ３に圧入したときに、拡径部１９は、インク収容パイプ３内のインクが継手９とインク収容パイプ３との間から漏れないようシールを形成する。
【００２６】
さらに継手９の外周におけるリブ１７よりも先端側には、インク収容パイプ３の内径よりも大きい拡径部２１が設けられている。拡径部２１の外径は好ましくはインク収容パイプ３の外径と同一であり、拡径部２１は継手９をインク収容パイプ３に圧入した際のストッパとして機能する。
【００２７】
継手９の受け入れ部１５は、筆記側パイプ７の外径よりも僅かに大きい内径を有する管状形状を有している。そして受け入れ部１５の内周には、筆記側パイプ７と接触し筆記側パイプ７を保持するための複数のリブ２３が設けられている。複数のリブ２３は、周方向にわたって等間隔に形成されており、複数のリブ２３の頂面は軸線方向から見たときに当該軸線を中心とする円を形成するように湾曲している。このとき形成される円の径は、筆記側パイプ７の外径よりも僅かに小さい。このように複数のリブ２３を形成することにより、筆記側パイプ７を継手９に圧入した際にリブ２３の頂面と筆記側パイプ７の外周が接触して両者の間の接合強度が向上する。さらにリブ２３の後方には筆記側パイプ７の外周面とを圧入し、機密性を保つ、シール部２４が形成されている。
【００２８】
また受け入れ部１５の後側端は、拡径部２１よりも後方側に位置している。従って、継手９にインク収容パイプ３と筆記側パイプ７を接合した際に、インク収容パイプ３と筆記側パイプ７は、所定の幅Ｌにわたって径方向に重複することとなる。このような重複部を設けることにより、継手９とインク収容パイプ３との接合強度、及び継手９と筆記側パイプ７との接合強度を向上させることができる。
【００２９】
さらに重複部の後方側であって重複部とインク収容パイプ３の先端側端との間には、逆流防止部２５が設けられている。逆流防止部２５は、受け入れ部１５と、継手９の後方側とを連通する空間内に逆止ボール２７を配置して構成されている。逆止ボール２７は、逆流防止部２５の縮径構造によって所定位置よりも後方側に移動できないようになっている。従って、筆記ボール１３が下側に位置するようにボールペンを立てると、逆止ボール２７が下側に移動してインク収容パイプ３内のインクが逆流防止部２５の空間を通って筆記側パイプ７に流入する。そして筆記側パイプ７内がインクで満たされるとインクの浮力により筆記ボール１３が上側に移動し、逆流防止部２５のインク収容パイプ３側の開口を塞ぐ。これにより、インクの逆流を防止することができる。
【００３０】
そしてこのような継手９の受け入れ部１５に筆記側パイプ７を圧入すると、受け入れ部１５内のリブ２３によって筆記側パイプ７が継手９に接合される。また、継手９の後端側をインク収容パイプ３内に圧入することによりリブ１７の頂面がインク収容パイプ３の内周面に接触し継手９とインク収容パイプ３を接合することができる。そして、重複部に対して径方向外側から内側に向けた圧力を加えたり、例えばビス等の圧入具を径方向内側に向けて圧入したりすることにより、筆記側パイプ７と、継手９と、インク収容パイプ３との接合をより強固にすることができる。
【符号の説明】
【００３１】
１    筆記具用リフィール
３    インク収容パイプ
５    筆記部
７    筆記側パイプ
９    継手
【図１】
0006781573.tif 000002
【図２】
0006781573.tif 000003
【図３】
0006781573.tif 000004
【図４】
0006781573.tif 000005